(57)【要約】【課題】ユーザーが簡単な操作で通信の対象となるデータを決定できるようにする。【解決手段】非接触記録媒体１１３と接続可能な再生装置１０１において、映像を再生中に一定時間内に何回接続切断を行われたかを記憶しておき、その回数に応じて再生位置を変化させ、かつ再生の一時停止を行う。そして、ユーザーがデータ転送開始位置を確認したうえで、次に一定時間以上通信が接続され続けた場合、再生中の位置より映像データの転送を開始するようにして、ユーザーが所望する再生位置よりデータを簡単に取得することができるようにする。【選択図】図１
2009200831.tif 000002
【特許請求の範囲】
【請求項１】
通信機能を備えた外部記憶媒体と接続部を介して接続されたか否かを検出する接続検出手段と、
前記接続検出手段によって一定時間内に接続または切断を検出した接続回数を記憶する接続回数記憶手段と、
映像データを再生する再生手段と、
前記接続回数記憶手段に記憶された接続回数に応じて、再生中の映像データの再生位置を変化させる再生位置設定手段とを備えたことを特徴とする再生装置。
【請求項２】
前記再生位置設定手段は、再生中の映像データが時間の経過にともなって変化していく映像データである場合に、前記接続回数記憶手段に記憶された接続回数に応じて、固定的な再生時間を前記接続回数の分だけ掛け合わせて再生位置に変化させることを特徴とする請求項１に記載の再生装置。
【請求項３】
前記再生位置設定手段は、前記接続回数記憶手段に記憶された接続回数に応じて、チャプタの境界を越えて再生位置を変更する場合には前記チャプタの境界まで再生位置を変更することを特徴とする請求項２に記載の再生装置。
【請求項４】
ユーザーの操作に応じて前記固定的な再生時間を設定する操作手段をさらに備えたことを特徴とする請求項２に記載の再生装置。
【請求項５】
前記再生位置設定手段は、再生中の映像データがチャプタにて構成されている場合、前記接続回数記憶手段に記憶された接続回数に応じて、前記接続回数の分のチャプタを移動させて前記再生位置を変化させることを特徴とする請求項１に記載の再生装置。
【請求項６】
前記再生位置設定手段は、再生中の映像データがページの単位で再生される場合、前記接続回数記憶手段に記憶された接続回数に応じて、ページを前記接続回数の分だけ掛け合わせて前記再生位置を変化させることを特徴とする請求項１に記載の再生装置。
【請求項７】
前記再生位置を変化させた際に表示している映像を、一定時間、静止画として表示する表示制御手段を有することを特徴とする請求項１〜６の何れか１項に記載の再生装置。
【請求項８】
前記再生位置設定手段は、前記表示制御手段によって表示している映像を、一定時間、静止画として表示している際に、前記接続回数記憶手段に記憶された接続回数が更新された場合、表示している映像の再生位置から再び、接続回数に応じて、再生中の映像データの再生位置を変化させることを特徴とする請求項７に記載の再生装置。
【請求項９】
前記表示制御手段は、再生位置を変化させて表示している映像を、一定時間、静止画として表示する際に、複数の表示装置のうち、一部の表示装置にだけ静止画を表示し、その他の表示装置には再生を継続して表示させることを特徴とする請求項７または８に記載の再生装置。
【請求項１０】
再生位置を変化させた際に表示している映像を表示している際に、一定時間、通信が接続された場合に、表示中の映像の位置より前記外部記憶媒体へデータを転送する転送手段を備えたことを特徴とする請求項７〜９の何れか１項に記載の再生装置。
【請求項１１】
前記接続検出手段は、無線通信によって前記外部記憶媒体と接続部を介して接続されたか否かを検出することを特徴とする請求項１〜１０の何れか１項に記載の再生装置。
【請求項１２】
前記接続検出手段は、非接触型通信によって前記外部記憶媒体と接続部を介して接続されたか否かを検出することを特徴とする請求項１〜１０の何れか１項に記載の再生装置。
【請求項１３】
通信機能を備えた外部記憶媒体と接続部を介して接続されたか否かを検出する接続検出工程と、
前記接続検出工程において一定時間内に接続または切断を検出した接続回数を記憶する接続回数記憶工程と、
映像データを再生する再生工程と、
前記接続回数記憶工程において記憶した接続回数に応じて、再生中の映像データの再生位置を変化させる再生位置設定工程とを備えたことを特徴とする再生方法。
【請求項１４】
通信機能を備えた外部記憶媒体と接続部を介して接続されたか否かを検出する接続検出工程と、
前記接続検出工程において一定時間内に接続または切断を検出した接続回数を記憶する接続回数記憶工程と、
映像データを再生する再生工程と、
前記接続回数記憶工程において記憶した接続回数に応じて、再生中の映像データの再生位置を変化させる再生位置設定工程とをコンピュータに実行させることを特徴とするプログラム。
【請求項１５】
請求項１４に記載のプログラムを記録したことを特徴とするコンピュータ読み取り可能な記録媒体。
【発明の詳細な説明】
【技術分野】
【０００１】
本発明は再生装置、再生方法、プログラム及び記録媒体に関し、特に、映像データを非接触記録媒体に転送するシステムに用いて好適な技術に関する。
【背景技術】
【０００２】
従来、近距離非接触通信技術を利用したデータ通信システムが発明され実用化されつつある。このデータ通信システムは、受信機と送信機とを接触間近まで接近させることにより無線通信を確立し、高速にデータ通信を行う技術である（例えば、特許文献１参照）。
【０００３】
【特許文献１】特開２００４−０４８２５１号公報
【発明の開示】
【発明が解決しようとする課題】
【０００４】
しかしながら、上記技術では、受信機と送信機とを接近させるという単純な操作のみしか行われないため、例えば通信の対象となるデータをユーザー操作で決定するなどの動作を行わせるのは困難であった。
【０００５】
本発明は前述の問題点に鑑み、ユーザーが簡単な操作で通信の対象となるデータを決定できるようにすることを目的としている。
【課題を解決するための手段】
【０００６】
本発明の再生装置は、通信機能を備えた外部記憶媒体と接続部を介して接続されたか否かを検出する接続検出手段と、前記接続検出手段によって一定時間内に接続または切断を検出した接続回数を記憶する接続回数記憶手段と、映像データを再生する再生手段と、前記接続回数記憶手段に記憶された接続回数に応じて、再生中の映像データの再生位置を変化させる再生位置設定手段とを備えたことを特徴とする。
【０００７】
本発明の再生方法は、通信機能を備えた外部記憶媒体と接続部を介して接続されたか否かを検出する接続検出工程と、前記接続検出工程において一定時間内に接続または切断を検出した接続回数を記憶する接続回数記憶工程と、映像データを再生する再生工程と、前記接続回数記憶工程において記憶した接続回数に応じて、再生中の映像データの再生位置を変化させる再生位置設定工程とを備えたことを特徴とする。
【０００８】
本発明のプログラムは、通信機能を備えた外部記憶媒体と接続部を介して接続されたか否かを検出する接続検出工程と、前記接続検出工程において一定時間内に接続または切断を検出した接続回数を記憶する接続回数記憶工程と、映像データを再生する再生工程と、前記接続回数記憶工程において記憶した接続回数に応じて、再生中の映像データの再生位置を変化させる再生位置設定工程とをコンピュータに実行させることを特徴とする。
【０００９】
本発明の記録媒体は、前記に記載のプログラムを記録したことを特徴とする。
【発明の効果】
【００１０】
本発明によれば、接続回数に応じて、再生中の映像データの再生位置を変化させるので、ユーザーはデータ転送開始位置を確認することができる。これにより、ユーザーが簡単な操作で通信の対象となるデータを決定することができる。
【発明を実施するための最良の形態】
【００１１】
（第１の実施形態）
以下、図面を参照しながら本発明の実施形態を説明する。
図１は、本実施形態に係る再生装置の概略構成例を示すブロック図である。
図１において、１０１は再生装置である。１０２は、各部の動作を制御するＣＰＵである。１０３は、再生する映像データを記憶するための記憶媒体である。１０４は、非接触記録媒体１１３と無線通信または非接触型通信によって通信接続を行う非接触記録媒体接続部である。
【００１２】
１０５は、非接触記録媒体接続部１０４に外部記憶媒体である非接触記録媒体１１３が接続されたか否かを検出する接続検出部である。１０６は、接続検出部１０５により一定時間内に何回通信接続、切断が検出されたかを記憶する接続回数記憶部である。１０７は、記憶媒体１０３に記憶されている映像データを再生する再生部である。１０８は、接続回数記憶部１０６にて記憶されている接続回数を基に再生位置を設定する再生位置設定部である。１０９は、第１の表示装置１１０及び第２の表示装置１１１に映像データを出力して表示制御を行う表示出力部である。
【００１３】
１１０は、映像を表示する第１の表示装置である。１１１は、映像を表示する第２の表示装置である。１１２は、ユーザーの操作を受け付ける操作部である。１１３は、再生装置１０１本体に接続される通信機能を有する非接触記録媒体である。１１４は、ＣＰＵ１０２が使用するＲＡＭである。１１５は、再生時に映像データを変換するコーデックである。１１６は、時間測定用のタイマ制御部である。
【００１４】
次に、本実施形態の再生装置１０１における処理について図２〜図６を参照しながら説明する。
図２は、非接触記録媒体１１３と本実施形態の再生装置１０１とが接近している場合の通信の接続及び切断を検出する処理手順の一例を示すフローチャートである。また通信の接続回数を取得した後、再生映像の再生位置変更に関する処理について図３〜図５に示す。
【００１５】
まず、本実施形態の再生装置１０１が再生動作を実施している状態にて、ＣＰＵ１０２は、接続検出部１０５より通知される非接触記録媒体１１３と非接触記録媒体接続部１０４の接続を監視する（ステップＳ２０１）。この監視の結果、非接触記録媒体１１３との接続を検出した場合、ステップＳ２０２へ進み、接続を検出しない場合にはそのまま待機する。
【００１６】
次に、ＣＰＵ１０２は、非接触記録媒体１１３が接続されている状態である旨の情報をＲＡＭ１１４に記憶する（ステップＳ２０２）。なお、接続されている状態である旨の情報を記憶する処理は、「接続中フラグ」がＯＮであることを意味する。
【００１７】
次に、ＣＰＵ１０２は、タイマ制御部１１６に対しカウントタイマの設定を指示する（ステップＳ２０３）。カウントタイマは、非接触記録媒体１１３と非接触記録媒体接続部１０４とが通信接続または切断された際に、接続回数としてカウントするか否かの判別に使用される。また、カウントタイマがタイムアウト（以降「Ｔ．Ｏ．」と表記する）すると、以降の通信接続及び切断は接続回数としてカウントしないものとする。
【００１８】
次に、ＣＰＵ１０２は、接続中フラグをチェックする（ステップＳ２０４）。このチェックの結果、接続中フラグが設定されている場合はステップＳ２０５へ進み、設定されていない場合はステップＳ２０８へ進む。
【００１９】
次に、ＣＰＵ１０２は、非接触記録媒体１１３と非接触記録媒体接続部１０４との通信状態を確認する（ステップＳ２０５）。この確認の結果、通信が接続状態である場合はステップＳ２０７へ進み、切断状態である場合はステップＳ２０６へ進む。
【００２０】
次に、ＣＰＵ１０２は、接続中フラグを解除する（ステップＳ２０６）。そして、ＣＰＵ１０２は、ステップＳ２０３にて設定したカウンタタイマのＴ．Ｏ．であるか否かを確認する（ステップＳ２０７）。この確認の結果、タイマがＴ．Ｏ．していなかった場合はステップＳ２０４へ戻り、Ｔ．Ｏ．していた場合はステップＳ２１２へ進む。
【００２１】
次に、ＣＰＵ１０２は、非接触記録媒体１１３と非接触記録媒体接続部１０４との通信状態を確認する（ステップＳ２０８）。この確認の結果、通信が接続状態である場合はステップＳ２０９へ進み、切断状態である場合はステップＳ２０７へ進む。
【００２２】
次に、ＣＰＵ１０２は、接続回数記憶部１０６に対し接続回数を１加えるよう指示する（ステップＳ２０９）。そして、ＣＰＵ１０２は、タイマ制御部１１６に対してカウントタイマの再設定を指示する（ステップＳ２１０）。次に、ＣＰＵ１０２は、接続中フラグを設定する（ステップＳ２１１）。そして、ステップＳ２０７へ進む。
【００２３】
また、ステップＳ２０７の確認の結果、Ｔ．Ｏ．していた場合は、ＣＰＵ１０２は、ステップＳ２０９でカウントアップされた接続回数を接続回数記憶部１０６より取得する（ステップＳ２１２）。これにより接続回数を得ることが可能となる。
【００２４】
次に、図２に示す処理にて得られた接続回数を利用して再生位置を変化させる処理について説明する。ここで、再生中の映像データの違いによって図３〜図５に示す処理を行う。
【００２５】
図３は、本実施形態の再生装置１０１における動画データの再生中の転送処理手順の一例を示すフローチャートである。なお、再生する動画データは、チャプタのように動画中に再生の境界を持つものを例とする。
図３において、ＣＰＵ１０２は、再生装置１０１が動画データの再生中であるか否かを確認する（ステップＳ３０１）。この確認の結果、動画データの再生中の場合はステップＳ３０２へ進む。また、動画データの再生中でない場合は処理を終了する。
【００２６】
次に、ＣＰＵ１０２は、ステップＳ２１２にて接続回数記憶部１０６より取得した接続回数を確認する（ステップＳ３０２）。この確認の結果、接続回数が０であった場合はステップＳ３１８へ進み、接続回数が０以外であった場合はステップＳ３０３へ進む。
【００２７】
次に、ＣＰＵ１０２は、操作部１１２を介し、ユーザーにより予め設定していた再生位置変更基準値を取得する（ステップＳ３０３）。この再生位置変更基準値は動画再生位置を変更する際に、接続回数と掛け合わせることにより再生中の動画データの再生変更位置を算出するための固定的な時間を表すものである。
【００２８】
次に、再生位置設定部１０８は、接続回数記憶部１０６から得られる接続回数をステップＳ３０３で取得した再生位置変更基準値に掛け合わせることにより再生の変更位置を算出する（ステップＳ３０４）。具体的には、再生位置変更基準値が１秒、接続回数が１０回の場合、再生位置の変更量は１０秒となる。
【００２９】
次に、ＣＰＵ１０２は、現在再生中の再生位置よりステップＳ３０４で取得した再生位置変更量の分だけ再生時間を前にした場合、再生の境界があるか否かを確認する（ステップＳ３０５）。ここで、再生の境界とはチャプタ等の再生単位である。再生の境界がある場合はステップＳ３０６へ進み、再生の境界がない場合はステップＳ３０７へ進む。
【００３０】
次に、再生位置設定部１０８は、ステップＳ３０５で検出した再生の境界を再生変更位置とする（ステップＳ３０６）。一方、ステップＳ３０５の確認の結果、再生の境界がない場合は、再生位置設定部１０８は、現在の再生位置よりステップＳ３０４で得た再生位置変更量の分だけ移動した再生位置を再生変更位置とする（ステップＳ３０７）。
【００３１】
次に、再生位置設定部１０８は、第２の表示装置１１１に表示される再生映像をステップＳ３０７で得られた再生変更位置に変更し、再生部１０７は表示出力部１０９に対し、一時停止映像として出力させる（ステップＳ３０８）。なお、第１の表示装置１１０では通常の再生画面を継続する。なお、図６には、複数の表示装置で映像が表示される例を示している。
【００３２】
次に、ＣＰＵ１０２は、タイマ制御部１１６に対し、一時停止タイマを設定させる（ステップＳ３０９）。ここで、一時停止タイマとは、ステップＳ３０８において一時停止状態で再生されている映像データの一時停止時間を決定するタイマである。一時停止タイマがＴ．Ｏ．した時点で再生の一時停止を解除する。
【００３３】
次に、ＣＰＵ１０２は、接続回数記憶部１０６を介し、接続回数が図２のステップＳ２１２にて取得された値と同値であるか否かを比較する（ステップＳ３１０）。この比較の結果、更新されて異なる場合は図２のステップＳ２０１へ戻り、同値である場合はステップＳ３１１へ進む。
【００３４】
同値である場合は、次に、ＣＰＵ１０２は、タイマ制御部１１６を介し、ステップＳ３０９で設定した一時停止タイマがＴ．Ｏ．しているか否かを確認する（ステップＳ３１１）。この比較の結果、一時停止タイマがＴ．Ｏ．している場合はステップＳ３１８へ進み、一時停止タイマがＴ．Ｏ．していなかった場合はステップＳ３１２へ進む。
【００３５】
Ｔ．Ｏ．していなかった場合は、次に、ＣＰＵ１０２は、接続検出部１０５を介し、非接触記録媒体１１３と非接触記録媒体接続部１０４とで通信がされているか否かを確認する（ステップＳ３１２）。この確認の結果、接続中である場合はステップＳ３１３へ進み、接続が切断されていた場合はステップＳ３１４へ進む。
【００３６】
次に、ＣＰＵ１０２は、タイマ制御部１１６を介し、コピー開始タイマを起動する（ステップＳ３１３）。ここで、接続検出部１０５にて検出している非接触記録媒体１１３と非接触記録媒体接続部１０４との通信接続が、コピー開始タイマがＴ．Ｏ．するまで続いている場合に、映像データをコピーする。具体的には、第２の表示装置１１１に表示されている映像を始点として映像データを非接触記録媒体１１３にコピーし始める。
【００３７】
次に、ＣＰＵ１０２は、タイマ制御部１１６を介し、ステップＳ３１３で設定したコピー開始タイマのＴ．Ｏ．を監視する（ステップＳ３１４）。この監視の結果、コピー開始タイマがＴ．Ｏ．している場合はステップＳ３１５へ進み、Ｔ．Ｏ．していない場合はステップＳ３１０へ戻る。
【００３８】
次に、ＣＰＵ１０２は、第２の表示装置１１１に表示されている映像の再生位置を先頭とし記憶媒体１０３に記憶されている映像データを非接触記録媒体１１３へ転送する（ステップＳ３１５）。そして、ＣＰＵ１０２は、接続検出部１０５より通信の切断が通知されたか否かを監視する（ステップＳ３１６）。この監視の結果、通信が切断された場合はステップＳ３１８へ進み、通信接続が継続される場合はステップＳ３１７へ進む。
【００３９】
ＣＰＵ１０２は、ステップＳ３１５にて開始した非接触記録媒体１１３へのデータ転送が完了したか否かを監視する（ステップＳ３１７）。この監視の結果、転送が完了した場合は処理を終了する。一方、転送が完了していない場合はステップＳ３１６へ戻る。
【００４０】
一方、ステップＳ３１６の監視の結果、通信が切断された場合は、ＣＰＵ１０２は、タイマ制御部１１６を介して、ステップＳ３１３にて設定したコピー開始タイマ及びステップＳ３０９にて設定した一時停止タイマを解除する（ステップＳ３１８）。そして、ＣＰＵ１０２は、第２の表示装置１１１に対し第１の表示装置１１０にて表示中の映像と同一の映像を表示するよう指示し（ステップＳ３１９）、処理を終了する。
【００４１】
図４は、本実施形態の再生装置１０１において静止画をスライドショウ表示した場合の転送処理手順の一例を示すフローチャートである。ここでスライドショウとは静止画のように１枚で構成される映像を一定時間が経過した後に順次再生していく方式とする。
【００４２】
図４において、まず、ＣＰＵ１０２は、再生装置１０１において静止画データのスライドショウの再生中であるか否かを確認する（ステップＳ４０１）。この確認の結果、静止画データのスライドショウの再生中の場合はステップＳ４０２へ進む。また、再生中でない場合は処理を終了する。
【００４３】
次に、ＣＰＵ１０２は、ステップＳ２１２にて接続回数記憶部１０６より取得した接続回数を確認する（ステップＳ４０２）。この確認の結果、接続回数が０であった場合はステップＳ４１６へ進み、接続回数が０以外であった場合はステップＳ４０３へ進む。
【００４４】
次に、ＣＰＵ１０２は、操作部１１２を介し、ユーザーにより予め設定していた再生位置変更基準値を取得する（ステップＳ４０３）。この再生位置変更基準値は、静止画データのスライドショウにおける再生位置を変更する際に、接続回数と掛け合わせることによりスライドショウで再生中の静止画データの再生変更位置を算出するためのものである。
【００４５】
次に、再生位置設定部１０８は、接続回数記憶部１０６から得られる接続回数をステップＳ４０３で取得した再生位置変更基準値に掛け合わせることにより再生の変更位置を算出する（ステップＳ４０４）。具体的には再生位置変更基準値が２ページ、接続回数が１０回の場合、再生位置の変更量は２０枚となる。
【００４６】
次に、再生位置設定部１０８は、第２の表示装置１１１に表示される映像をステップＳ４０４で得られた再生変更位置に変更し、再生部１０７は表示出力部１０９に対し、静止画スライドショウを一時停止して出力する（ステップＳ４０５）。なお、第１の表示装置１１０では、静止画スライドショウを継続する。
【００４７】
次に、ＣＰＵ１０２は、タイマ制御部１１６に対し、一時停止タイマを設定させる（ステップＳ４０６）。ここで一時停止タイマとは、ステップＳ４０５において一時停止状態で再生されている静止画スライドショウの一時停止時間を決定するタイマである。一時停止タイマがＴ．Ｏ．した時点で静止画スライドショウの一時停止を解除する。
【００４８】
次に、ＣＰＵ１０２は、接続回数記憶部１０６を介し、接続回数が図２のステップＳ２１２にて取得された値と同値であるか否かを比較する（ステップＳ４０７）。この比較の結果、更新されて異なる場合は図２のステップＳ２０１へ戻り、同値である場合はステップＳ４０８へ進む。
【００４９】
次に、ＣＰＵ１０２は、タイマ制御部１１６を介し、ステップＳ４０６で設定した一時停止タイマがＴ．Ｏ．しているか否かを確認する（ステップＳ４０８）。この確認の結果、一時停止タイマがＴ．Ｏ．している場合はステップＳ４１５へ進み、一時停止タイマがＴ．Ｏ．していなかった場合はステップＳ４０９へ進む。
【００５０】
次に、ＣＰＵ１０２は、接続検出部１０５を介し、非接触記録媒体１１３と非接触記録媒体接続部１０４とで通信がされているか否かを確認する（ステップＳ４０９）。この確認の結果、接続中である場合はステップＳ４１０へ進み、接続が切断されていた場合はステップＳ４１１へ進む。
【００５１】
次に、ＣＰＵ１０２は、タイマ制御部１１６を介し、コピー開始タイマを起動する（ステップＳ４１０）。ここで、接続検出部１０５にて検出している非接触記録媒体１１３と非接触記録媒体接続部１０４との通信接続が、コピー開始タイマがＴ．Ｏ．するまで続いている場合に、映像データをコピーする。具体的には第２の表示装置１１１に表示されている映像を始点として映像データを非接触記録媒体１１３にコピーし始める。
【００５２】
次に、ＣＰＵ１０２は、タイマ制御部１１６を介し、ステップＳ４１０で設定したコピー開始タイマのＴ．Ｏ．を監視する（ステップＳ４１１）。この監視の結果、コピー開始タイマがＴ．Ｏ．している場合はステップＳ４１２へ進み、Ｔ．Ｏ．していない場合はステップＳ４０７へ戻る。
【００５３】
次に、ＣＰＵ１０２は、第２の表示装置１１１に表示されている静止画を先頭とし、記憶媒体１０３に記憶されている静止画データを非接触記録媒体１１３へ転送する（ステップＳ４１２）。そして、ＣＰＵ１０２は、接続検出部１０５より通信の切断が通知されたか否かを監視する（ステップＳ４１３）。この監視の結果、通信が切断された場合はステップＳ４１５へ進み、通信接続が継続されている場合はステップＳ４１４へ進む。
【００５４】
次に、ＣＰＵ１０２は、ステップＳ４１２にて開始した非接触記録媒体１１３へのデータ転送が完了したか否かを監視する（ステップＳ４１４）。この監視の結果、転送が完了した場合は処理を終了する。一方、転送が完了していない場合はステップＳ４１３へ戻る。
【００５５】
一方、ステップＳ４１３の監視の結果、通信が切断された場合は、ＣＰＵ１０２は、タイマ制御部１１６を介して、ステップＳ４１０にて設定したコピー開始タイマ及びステップＳ４０６にて設定した一時停止タイマを解除する（ステップＳ４１５）。そして、ＣＰＵ１０２は、第２の表示装置１１１に対し第１の表示装置１１０にて表示中の映像と同一の静止画をスライドショウ表示するよう指示し（ステップＳ４１６）、処理を終了する。
【００５６】
図５は、本実施形態の再生装置１０１において動画または静止画をインデックス表示した場合の転送処理手順の一例を示すフローチャートである。ここで、インデックス表示とは、動画または静止画が複数含まれる場合に１ページ内に縮小画像を任意の数表示する方法である。
【００５７】
図５において、ＣＰＵ１０２は、再生装置１０１においてインデックス形式で再生中であるか否かを確認する（ステップＳ５０１）。この確認の結果、インデックス形式で再生中の場合はステップＳ５０２へ進む。なお、再生中でない場合は処理を終了する。
【００５８】
次に、ＣＰＵ１０２は、ステップＳ２１２にて接続回数記憶部１０６より取得した接続回数を確認する（ステップＳ５０２）。この確認の結果、接続回数が０であった場合はステップＳ５１６へ進み、接続回数が０以外であった場合はステップＳ５０３へ進む。
【００５９】
次に、ＣＰＵ１０２は、操作部１１２を介し、ユーザーにより予め設定していた再生位置変更基準値を取得する（ステップＳ５０３）。この再生位置変更基準値は、インデックス形式での再生位置を変更する際に、接続回数と掛け合わせることにより再生中のインデックスでの再生変更位置を算出するためのものである。
【００６０】
次に、再生位置設定部１０８は、接続回数記憶部１０６から得られる接続回数をステップＳ５０３で取得した再生位置変更基準値に掛け合わせることにより再生の変更位置を算出する（ステップＳ５０４）。具体的には再生位置変更基準値が５ページ、接続回数が３回の場合、再生位置の変更量はインデックス１５ページ分となる。
【００６１】
次に、再生位置設定部１０８は、第２の表示装置１１１に表示される映像をステップＳ５０４で得られた再生変更位置に変更し、再生部１０７は表示出力部１０９に対し、インデックスとして出力する（ステップＳ５０５）。なお、第１の表示装置１１０では、再生位置変更前のインデックス表示を継続する。
【００６２】
次に、ＣＰＵ１０２は、タイマ制御部１１６に対し、一定時間再生タイマを設定させる（ステップＳ５０６）。ここで一定時間再生タイマとは、ステップＳ５０５で再生位置を変更して再生されているインデックスの表示時間を決定するタイマである。一定時間再生タイマがＴ．Ｏ．した時点で再生位置が変更されたインデックスの再生を解除する。
【００６３】
次に、ＣＰＵ１０２は、接続回数記憶部１０６を介し、接続回数が図２のステップＳ２１２にて取得された値と同値であるか否かを比較する（ステップＳ５０７）。この比較の結果、更新されて異なる場合は図２のステップＳ２０１へ戻り、同値である場合はステップＳ５０８へ進む。
【００６４】
次に、ＣＰＵ１０２は、タイマ制御部１１６を介し、ステップＳ５０６で設定した一定時間再生タイマがＴ．Ｏ．しているか否かを確認する（ステップＳ５０８）。この確認の結果、一定時間再生タイマがＴ．Ｏ．している場合はステップＳ５１５へ進み、一定時間再生タイマがＴ．Ｏ．していない場合はステップＳ５０９進む。
【００６５】
次に、ＣＰＵ１０２は、接続検出部１０５を介し、非接触記録媒体１１３と非接触記録媒体接続部１０４とで通信がされているか否かを確認する（ステップＳ５０９）。この確認の結果、接続中である場合はステップＳ５１０へ進み、接続が切断されている場合はステップＳ５１１へ進む。
【００６６】
次に、ＣＰＵ１０２は、タイマ制御部１１６を介し、コピー開始タイマを起動する（ステップＳ５１０）。ここで、接続検出部１０５にて検出している非接触記録媒体１１３と非接触記録媒体接続部１０４との通信接続が、コピー開始タイマがＴ．Ｏ．するまで続いている場合に、映像データをコピーする。具体的には第２の表示装置１１１に表示されている映像を始点として、映像データを非接触記録媒体１１３にコピーし始める。
【００６７】
次に、ＣＰＵ１０２は、タイマ制御部１１６を介し、ステップＳ５１０で設定したコピー開始タイマのＴ．Ｏ．を監視する（ステップＳ５１１）。この監視の結果、コピー開始タイマがＴ．Ｏ．している場合はステップＳ５１２へ進み、Ｔ．Ｏ．していない場合はステップＳ５０７へ戻る。
【００６８】
次に、ＣＰＵ１０２は、再生位置が変更されているインデックス内に含まれる先頭の縮小画像に係る映像データの記憶媒体１０３内での位置を取得する（ステップＳ５１２）。そして、ＣＰＵ１０２は、ステップＳ５１２で取得した位置を先頭とし記憶媒体１０３に記憶されている動画データまたは静止画データを非接触記録媒体１１３へ転送する（ステップＳ５１３）。
【００６９】
次に、ＣＰＵ１０２は、接続検出部１０５より通信の切断が通知されたか否かを監視する（ステップＳ５１４）。この監視の結果、通信が切断された場合はステップＳ５１６へ進み、通信接続が継続されている場合はステップＳ５１５へ進む。
【００７０】
次に、ＣＰＵ１０２は、ステップＳ５１３にて開始した非接触記録媒体１１３へのデータ転送が完了したか否かを監視する（ステップＳ５１５）。この監視の結果、転送が完了した場合は処理を終了する。一方、転送が完了していない場合はステップＳ５１４へ戻る。
【００７１】
一方、ステップＳ５１４の監視の結果、通信が切断された場合は、ＣＰＵ１０２は、タイマ制御部１１６を介して、ステップＳ５１０にて設定したコピー開始タイマ及びステップＳ５０６にて設定した一定時間再生タイマを解除する（ステップＳ５１６）。そして、ＣＰＵ１０２は、第２の表示装置１１１に対し第１の表示装置１１０にて表示中の映像と同一のインデックスを表示するよう指示し（ステップＳ５１７）、処理を終了する。
【００７２】
以上のように本実施形態によれば、非接触記録媒体１１３と接続可能な再生装置１０１において、映像を再生中に一定時間内に何回接続切断を行われたかを記憶しておき、その回数に応じて再生位置を変化させ、かつ再生の一時停止を行う。そして、ユーザーがデータ転送開始位置を確認したうえで、次に一定時間以上通信が接続され続けた場合、再生中の位置より映像データの転送を開始する。これによりユーザーが所望する再生位置よりデータを簡単に取得することができる。
【００７３】
（本発明に係る他の実施形態）
前述した本発明の実施形態における再生装置を構成する各手段、並びに再生方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７４】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００７５】
なお、本発明は、前述した実施形態の機能を実現するソフトウェアのプログラム（実施形態では図２〜図５に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００７６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７７】
その場合、プログラムの機能を有していれば、オブジェクトコード、インタプリタにより実行されるプログラム、ＯＳに供給するスクリプトデータ等の形態であってもよい。
【００７８】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００８０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【００８１】
また、その他の方法として、本発明のプログラムを暗号化してＣＤ−ＲＯＭ等の記録媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【００８２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００８３】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８４】
【図１】本発明の実施形態に係る再生装置の概略構成例を示すブロック図である。
【図２】本発明の実施形態の再生装置と非接触記録媒体とが接近している場合の通信の接続及び切断を検出する処理手順の一例を示すフローチャートである。
【図３】本発明の実施形態の再生装置における動画データの再生中の転送処理手順の一例を示すフローチャートである。
【図４】本発明の実施形態の再生装置において静止画をスライドショウ表示した場合の転送処理手順の一例を示すフローチャートである。
【図５】本発明の実施形態の再生装置において動画または静止画をインデックス表示した場合の転送処理手順の一例を示すフローチャートである。
【図６】複数の表示装置で映像が表示される例を示す図である。
【符号の説明】
【００８５】
１０１  再生装置
１０２  ＣＰＵ
１０３  記憶媒体
１０４  非接触記録媒体接続部
１０５  接続検出部
１０６  接続回数記憶部
１０７  再生部
１０８  再生位置設定部
１０９  表示出力部
１１０  第１の表示装置
１１１  第２の表示装置
１１２  操作部
１１３  非接触記録媒体
１１４  ＲＡＭ
１１５  コーデック
１１６  タイマ制御部
【図１】
2009200831.tif 000003
【図２】
2009200831.tif 000004
【図３】
2009200831.tif 000005
【図４】
2009200831.tif 000006
【図５】
2009200831.tif 000007
【図６】
2009200831.tif 000008